(57)【要約】【課題】携帯端末装置に保存されているコンテンツが実際にどのようなコンテンツであるかを、他の携帯端末装置のユーザーに伝達することができ、且つコンテンツの流通を促進させるようなサービスに対応する携帯端末装置を提供すること。【解決手段】他の携帯端末装置と映像及び音声の送受信を行うテレビ電話機能を有する携帯端末装置であって、上記テレビ電話機能の利用中において、上記他の携帯端末装置に対して所定のコンテンツのデータを送信する際に、上記所定のコンテンツのデータを劣化させてから送信する。【選択図】      図５Ｂ
2008048063.tif 000002
【特許請求の範囲】
【請求項１】
他の端末装置と映像及び音声の送受信を行うテレビ電話機能を有する携帯端末装置であって、
前記テレビ電話機能の利用中において、前記他の携帯端末装置に対して所定のコンテンツのデータを送信する際に、前記所定のコンテンツのデータを劣化させる制御手段を有することを特徴とする携帯端末装置。
【請求項２】
前記制御手段は、
前記所定のコンテンツのデータを劣化させる為に、前記所定のコンテンツのデータのデータ圧縮方法を変更することを特徴とする請求項１に記載の携帯端末装置。
【請求項３】
前記制御手段は、
前記所定のコンテンツのデータを劣化させる為に、前記所定のコンテンツのデータに対して、アナログ変換及びディジタル変換を、少なくとも一回ずつ施すことを特徴とする請求項１に記載の携帯端末装置。
【請求項４】
他の端末装置と映像及び音声の送受信を行うテレビ電話機能を有する携帯端末装置であって、
前記テレビ電話機能の利用中において、前記他の携帯端末装置に対して所定のコンテンツのデータを送信する際に前記所定のコンテンツのデータを劣化させる劣化処理手段を具備することを特徴とする携帯端末装置。
【請求項５】
他の端末装置と映像及び音声の送受信を行うテレビ電話機能を有する携帯端末装置であって、
データを記録する為の記録手段と、
前記テレビ電話機能の利用中において、前記他の携帯端末装置から所定のコンテンツのデータが送信されてきた際には、前記所定のコンテンツのデータを、前記記録手段に記録することを禁止する制御を行う制御部と、
を具備することを特徴とする携帯端末装置。
【請求項６】
前記制御部は、上記テレビ電話機能の利用中において、上記他の携帯端末装置から上記所定のコンテンツのデータを送信する旨の通知を受信した場合、当該携帯端末装置が上記所定のコンテンツのデータの受信に対応した携帯端末装置であることを示す信号を、上記他の携帯端末装置に送信することを特徴とする請求項５に記載の携帯端末装置。
【発明の詳細な説明】
【技術分野】
【０００１】
本発明は、携帯電話機等の携帯端末装置に関し、特にテレビ電話機能を有する携帯端末装置に関する。
【背景技術】
【０００２】
近年、携帯電話機にて音楽をダウンロードすることが可能となり、また音楽を再生することも可能となった。このような背景から、携帯電話機のユーザーが、ダウンロードによって取得した音楽や気に入った音楽等を、他の携帯電話機のユーザーに伝達することを可能とするような技術が求められている。従来、携帯電話機のユーザー間で、それぞれのユーザーがダウンロードによって取得した音楽や気に入った音楽等を互いに伝達し合う場合には、例えば以下のような方法が採られている。
【０００３】
（従来方法１）当該音楽の曲名、ダウンロードできるプロバイダのＵＲＬ等を、電話またはメール等によって伝達する。
【０００４】
（従来方法２）当該音楽の音楽ＩＤ（プロバイダによって音楽ごとに割り振られた識別子）、曲名、及びアーティスト名等の情報（以降、音楽情報と称する）を含むプレイリストをメールにて送信する。
【０００５】
なお、著作権等に対する配慮により、携帯電話機間で音楽を直接授受することはできない。
【０００６】
ところで、電話及び音楽に関連する技術として、例えば特許文献１には、バック・グラウンド音声を聞きながら通話をすることができる通話音声生成装置が開示されている。特許文献１に開示された通話音声生成装置では、通話中にバック・グラウンド音声を生成し、このバック・グラウンド音声と自機の通話音声とを混合して相手先に送信すると共に、相手の通話音声とバック・グラウンド音声とを混合して自機のスピーカから出力する。
【特許文献１】特開２００６−８１０５１号公報
【発明の開示】
【発明が解決しようとする課題】
【０００７】
携帯電話機のユーザーが、ダウンロードによって取得した音楽や気に入った音楽等を他の携帯電話機のユーザーに伝達する方法として挙げた上記（従来方法１）及び上記（従来方法２）に関しては、以下のような課題を含んでいる。
【０００８】
すなわち、上記（従来方法１）及び上記（従来方法２）によれば、携帯電話機のユーザー間で遣り取りできるのは上記音楽情報等のメタ情報のみであるので、そのような情報を受け取ったユーザーは当該音楽が実際にどのような音楽であるのかを知ることができない。つまり、上記（従来方法１）及び上記（従来方法２）によっては、ユーザーは、実際に当該音楽をダウンロードするまでは、当該音楽がどのような音楽であるかを知ることができない。
【０００９】
なお、現状においては、携帯電話機に保存されている著作権付きのコンテンツに関しては、上記音楽情報等のメタ情報しか他の携帯電話機のユーザーと共有することができない。
【００１０】
また、プロバイダ等から当該音楽を購入する前に試聴をできる場合もあるが、試聴は音楽の一部分のみが再生される為、ユーザーが実際に確認したい部分を聴くことができないこともある。さらに、このような視聴によっても、課金（ダウンロード費用等）が生じてしまう。
【００１１】
ところで、近年いわゆるテレビ電話機能を有する携帯電話機が普及しているが、テレビ電話機能の現状における利用頻度を鑑みると、今後ユーザーに対してテレビ電話機能を訴求する為には、テレビ電話機能＋αの新サービス、及び該新サービスに対応する携帯電話機が望まれる。
【００１２】
本発明は、上記の事情に鑑みて為されたもので、携帯電話機等の携帯端末装置に保存されている音楽等のコンテンツが実際にどのようなコンテンツであるかを、他の携帯端末装置のユーザーに伝達することができ、且つコンテンツの流通を促進させるようなサービスに対応し得る携帯端末装置を提供することを目的とする。
【課題を解決するための手段】
【００１３】
上記の目的を達成するために、本発明の第１の態様による携帯端末装置は、他の端末装置と映像及び音声の送受信を行うテレビ電話機能を有する携帯端末装置であって、前記テレビ電話機能の利用中において、前記他の携帯端末装置に対して所定のコンテンツのデータを送信する際に、前記所定のコンテンツのデータを劣化させる制御手段を有することを特徴とする。
【００１４】
上記の目的を達成するために、本発明の第２の態様による携帯端末装置は、他の端末装置と映像及び音声の送受信を行うテレビ電話機能を有する携帯端末装置であって、前記テレビ電話機能の利用中において、前記他の携帯端末装置に対して所定のコンテンツのデータを送信する際に前記所定のコンテンツのデータを劣化させる劣化処理手段を具備することを特徴とする。
【００１５】
上記の目的を達成するために、本発明の第３の態様による携帯端末装置は、他の端末装置と映像及び音声の送受信を行うテレビ電話機能を有する携帯端末装置であって、データを記録する為の記録手段と、前記テレビ電話機能の利用中において、前記他の携帯端末装置から所定のコンテンツのデータが送信されてきた際には、前記所定のコンテンツのデータを、前記記録手段に記録することを禁止する制御を行う制御部と、を具備することを特徴とする。
【発明の効果】
【００１６】
本発明によれば、携帯端末装置に保存されている音楽等のコンテンツが実際にどのようなコンテンツであるかを、他の携帯端末装置のユーザーに伝達することができ、且つコンテンツの流通を促進させるようなサービスに対応し得る携帯端末装置を提供することができる。
【発明を実施するための最良の形態】
【００１７】
以下、図面を参照して本発明の一実施形態に係る携帯電話機を説明する。
【００１８】
図１は、本発明の一実施形態に係る携帯電話機の構成を示すブロック図である。
【００１９】
同図において、図示しない基地局から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００２０】
上記受信ベースバンド信号はＣＤＭＡ信号処理ユニット１６に入力される。ＣＤＭＡ信号処理ユニット１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００２１】
上記コンパンダ１７は、上記ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声等のオーディオデータをスピーチコーデックにより復号する。
【００２２】
また、本一実施形態に係る携帯電話機はいわゆるテレビ電話機能を有するが、テレビ電話のように、受信パケットデータにビデオデータが含まれていれば、このビデオデータをビデオコーデックにより復号する。
【００２３】
上記復号処理により得られたディジタルオーディオ信号はＰＣＭ符号処理ユニット（以後ＰＣＭコーデックと称する）１８に供給される。ＰＣＭコーデック１８は、コンパンダ１７から出力されたディジタルオーディオ信号をＰＣＭ復号してアナログオーディオ信号を出力する。このアナログオーディオ信号は、受話増幅器１９にて増幅されたのちスピーカ２０より出力される。
【００２４】
なお、オーディオ再生モードが設定されている場合には、制御ユニット２３は記憶ユニット２４から該当するオーディオコンテンツを読み出し、このオーディオコンテンツを復号処理したのち上記ＰＣＭコーデック１８及び受話増幅器１９を介してスピーカ２０から拡声出力する。
【００２５】
上記コンパンダ１７により復号されたディジタルビデオ信号は、制御ユニット２３に入力される。制御ユニット２３は、上記コンパンダ１７から出力されたディジタルビデオ信号を、ビデオＲＡＭを介してディスプレイ２８に表示する。なお、制御ユニット２３は、受信されたビデオデータばかりでなく、後述するカメラ３３により撮像されたビデオデータについてもビデオＲＡＭを介してディスプレイ２８に表示する。
【００２６】
また上記コンパンダ１７は、受信パケットが電子メールの場合には、この電子メールを制御ユニット２３に供給する。制御ユニット２３は、上記電子メールを記憶ユニット２４に保存する。そして、入力デバイス２７においてユーザーが行った表示操作に応じて、記憶ユニット２４から上記電子メールを読み出し、この電子メールをディスプレイ２８に表示する。
【００２７】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてディジタルオーディオ信号となり、コンパンダ１７に入力される。また、後述するカメラ３３から出力されるビデオ信号は、制御ユニット２３によりディジタル化されてコンパンダ１７に入力される。なお、制御ユニット２３において作成された電子メールも、制御ユニット２３からコンパンダ１７に入力される。
【００２８】
上記コンパンダ１７は、ＰＣＭコーデック１８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを上記送信パケットデータに多重化する。
【００２９】
ＣＤＭＡ信号処理ユニット１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Ｑｕａｄｒａｔｕｒｅ  Ｐｈａｓｅ  Ｓｈｉｆｔ   Ｋｅｙｉｎｇ）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から図示しない基地局へ向けて送信される。
【００３０】
また、本一実施形態に係る携帯電話機はテレビジョン受信機（テレビ受信機）３０を備えている。テレビ受信機３０は、例えば地上波テレビジョン放送信号をアンテナ３１を介して受信し、受信されたテレビジョン放送信号を復調してディジタル映像信号及び音声信号に変換する。ディジタル映像信号は、制御ユニット２３によりディスプレイ２８に表示される。ディジタル音声信号は、制御ユニット２３からＰＣＭコーデック１８に供給され、このＰＣＭコーデック１８でアナログ音声信号に変換されたのち受話増幅器１９を介してスピーカ２０から出力される。
【００３１】
さらにテレビ受信機３０はＦＭ放送信号の受信機能も有しており、受信したＦＭ放送信号を復調してディジタル音声信号を出力する。このディジタル音声信号は、上記テレビジョン放送信号から復調したディジタル音声信号と同様に、制御ユニット２３からＰＣＭコーデック１８に供給され、このＰＣＭコーデック１８でアナログ音声信号に変換されたのち受話増幅器１９を介してスピーカ２０から出力される。なお、図示しないイヤホン端子にイヤホンが接続された場合には、上記ＰＣＭコーデック１８から出力された音声信号は上記スピーカ２０に代わってイヤホンから出力される。  
電源回路２６は、バッテリ２５の出力をもとに所定の動作電源電圧Ｖccを生成して各回路部に供給する。バッテリ２５は充電回路２９により充電される。
【００３２】
ところで、上記制御ユニット２３は例えばマイクロコンピュータ（ＣＰＵ；Ｃｅｎｔｒａｌ  Ｐｒｏｃｅｓｓｉｎｇ  Ｕｎｉｔ）を備えたものであり、本一実施形態に係る携帯電話機に特徴的な動作制御としては、主として以下のような動作制御を行う。
【００３３】
まず、上記制御ユニット２３は、テレビ電話機能の利用中において、他の携帯電話機に対して所定のコンテンツのデータを送信する際に、上記所定のコンテンツのデータを劣化させる。また、上記制御ユニット２３は、テレビ電話機能の利用中において、他の携帯電話機から所定のコンテンツのデータが送信されてきた際には、上記所定のコンテンツのデータを、上記記憶ユニット２４に記録することを禁止する制御を行う。さらには、上記テレビ電話機能の利用中において、他の携帯電話機から所定のコンテンツのデータを送信する旨の通知を受信した場合、当該携帯電話機が上記所定のコンテンツのデータの受信に対応した携帯電話機であることを示す信号を、上記他の携帯電話機に送信する。
【００３４】
ところで、上記カメラ３３は撮像を行う為のカメラである。本一実施形態に係る携帯電話機では、テレビ電話における表示映像としてのビデオデータは、上記カメラ３３によって撮像され取得される。
【００３５】
以下、本一実施形態に係る携帯電話機の外観の一例を、図２及び図３を参照して説明する。
【００３６】
ここで、図２は、携帯電話機１を約１８０度開いた時の外観図であり、図２（Ａ）は正面図、図２（Ｂ）は側面図である。また、図３は携帯電話機１を閉じた時の外観図であり、図３（Ａ）は正面図、図３（Ｂ）は側面図である。ここで、携帯電話機１においては、上筐体部２Ａと下筐体部２Ｂとが、ヒンジ部２Ｃを介して接続されている。
【００３７】
上記上筐体部２Ａは、ＬＣＤ等から成る上記ディスプレイ２８、受信した音声を発声するレシーバとしての上記スピーカ２０、携帯電話機１の状態を検知するための磁気センサ３ａ，３ｃ、上記カメラ３３、ＬＣＤ等から成るサブディスプレイ２８ａ、及び静電タッチパッド４を有している。ここで、上記サブディスプレイ２８ａと上記静電タッチパッド４とは、上筐体部２Ａの同一の面上に備えられている。同様に、上記スピーカ２０と、上記ディスプレイ２８と、上記カメラ３３とは、上記筐体部２Ａの同一の面上に備えられている。
【００３８】
上記下筐体部２Ｂは、数字、文字、携帯電話機１の操作等を入力するためのキー５Ａ、サイドキー５Ｂ、集音するためのマイクロホン（図２（Ａ）においては送話口を指し示している）２１、及び携帯電話機１の状態を検知するための磁気センサ３ｂ、３ｄを有している。なお、図２に示す上記キー５Ａ及び上記サイドキー５Ｂは、図１に示す上記入力デバイス２７に対応する。
【００３９】
なお、上記上筐体部２Ａ及び上記下筐体部２Ｂに設けられている磁気センサ３ａ乃至３ｄは、これらセンサ同士が所定の距離内まで近接した状態となると検出信号を出力する。ここで、上記各センサ３ａ乃至３ｄのうち、磁気センサ３ａと磁気センサ３ｂとから成る対は、上筐体部２Ａと下筐体部２Ｂとが重なり合っているか否かを検出する為の対である。
【００４０】
以下、上記ディスプレイ２８の表示例、及び上記キー５Ａの配置例を説明する。ここで、図４（Ａ）は上記ディスプレイ２８の表示例、図４（Ｂ）は上記キー５Ａの配置例を示す図である。
【００４１】
図４（Ａ）に示すように、上記ディスプレイ２８には、一番上の行（以降、上ピクト行と称する）には、現在のアンテナ１１の感度のレベルを示したアンテナピクト５１と、携帯電話機１の現在の電池残量を示す電池ピクト５２と、現在の時刻を表示する時刻表示５３と、ＢＴ（Ｂｌｕｅｔｏｏｔｈ（登録商標））の起動中に表示されるＢＴアイコン５４と、例えばＭｕｓｉｃ  Ｐｌａｙｅｒ（以降、ＭＰと称する）が起動されているときに表示されるミュージックアイコン５５とが表示されている。
【００４２】
ここで、上記ＢＴアイコン５４は、ＢＴの接続中は青色でアイコンの背景が表示（図の楕円の中が青色）され、サーバ動作（ＢＴ接続待ち状態）の際には白色で表示（図の楕円の中が白色）される。そして、ＢＴ接続がなされていないとき（ＢＴリンクが切断されたときも含む）は消灯するよう制御される。
【００４３】
また、上記ミュージックアイコン５５は、前述のとおりＭＰが起動されているときに表示されるが、バック・グラウンド（以降、ＢＧＭと称する）として再生されている時にも表示されており、それ以外のときは消灯するよう上記制御ユニット２３に制御される。
【００４４】
ところで、上記ディスプレイ２８の一番下の行（以降、下ピクト行と称する）には、当該時点において、ソフトキー左６４、確定キー６５（十字キー６７の中心部）、ソフトキー右６６が押圧操作された場合に実行される機能の簡単な説明が、左下ピクト５６、中下ピクト５７、右下ピクト５８として示されている。ここで、上記ソフトキー左６４については上記左下ピクト５６、上記確定キー６５については上記中下ピクト５７、上記ソフトキー右６６については上記右下ピクト５８がそれぞれ対応している。
【００４５】
たとえば、図４（Ａ）に示す表示が上記ディスプレイ２８に為されている場合、上記ソフトキー左６４が押圧操作されると、“戻る”という機能が実行され、上記確定キー６５が押圧操作されると、同図においては図示されていないが、現在フォーカスが当たっている機能が選択される。また、上記ソフトキー右６６が押圧操作されると、“サブメニュー”が上記ディスプレイ２８に表示される。
【００４６】
ところで、図４（Ｂ）に示すように、上記下筐体部２Ｂは、上記キー５Ａとして、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。
【００４７】
ここで、上記数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。
【００４８】
そして、上記「＊」キー６２には「＊」が割り当てられている。また、この「＊」キー６２は、文字入力状態において記号一覧、絵文字一覧を呼び出す為のキーでもある。上記「＃」キー６３には「＃」が割り当てられている。また、この「＃」キー６３は、文字入力状態において、数字キー６１による文字入力のトグルを逆にする為のキーでもある。
【００４９】
上記十字キー６７は、上キーと、下キーと、左キーと、右キーと、確定キー６５とを有する。すなわち、上記十字キー６７は、カーソル等を上下左右方向に移動する為のキーである。また、上記確定キー６５は、さまざまな機能を確定する為のキーである。上記メールキー６８は、メールの送受信機能を呼び出す為のキーである。また、上記ブラウザキー６９は、Ｗｅｂ等に接続する為のキーである。
【００５０】
上記通話キー７０は、主に電話を受ける際や、通常の発信をする際に用いるキーである。上記電源キー７１は、主に電源のＯＮ／ＯＦＦ、終話操作、及び機能や編集等の終了操作の為のキーである。さらに、上記クリアキー７２は、主として、機能や編集等をクリアする為、及び文字入力の際に文字を消去する為のキーである。また、上記ディスプレイ２８が待受画面を表示している時に、上記クリアキー７２が押圧操作されると、上記ディスプレイ２８にはメモ帳が呼び出されて表示される。
【００５１】
以下、図５Ａ乃至図５Ｃを参照して、本一実施形態に係る携帯電話機に保存されている音楽が実際にどのような音楽であるかを、他の携帯端末装置のユーザーに伝達する為のプロセスを説明する。ここで、図５Ａ乃至図５Ｃに示す端末Ａ及び端末Ｂは、共に本一実施形態に係る携帯電話機であるとする。なお、各プロセスにおける詳細な動作制御は、図１を参照して説明した通りであるので、ここでは端末Ａと端末Ｂとの間のデータ送受信のプロセスに焦点を当てて説明する。
【００５２】
まず、前提条件として、端末Ａと端末Ｂとはテレビ電話中であるとする。従って、端末Ａと端末Ｂとの間では、それぞれ上記カメラ３３によって取得した映像及び上記マイクロホン２１によって取得した音声が、互いに送受信されている。
【００５３】
ここで、テレビ電話時において端末Ａの上記ディスプレイ２８に表示される映像を、端末Ａ表示映像と称する。同様に、テレビ電話時において端末Ｂの上記ディスプレイ２８に表示される映像を、端末Ｂ表示映像と称する。また、端末Ａが上記カメラ３３によって取得した映像を端末Ａカメラ映像と称し、端末Ｂが上記カメラ３３によって取得した映像を端末Ｂカメラ映像と称する。
【００５４】
なお、テレビ電話時における端末Ａの出力音声は、端末Ｂが上記マイクロホン２１によって取得して端末Ａに送信した音声（以降、端末Ｂマイクロホン音声と称する）である。同様に、テレビ電話時における端末Ｂの出力音声は、端末Ａが上記マイクロホン２１によって取得して端末Ｂに送信した音声（以降、端末Ａマイクロホン音声と称する）である。
【００５５】
以下、時系列に沿って、端末Ａと端末Ｂとの間のデータ送受信のプロセスを説明する。なお、端末Ａのユーザーを“ユーザーＡ”、端末Ｂのユーザーを“ユーザーＢ”と称する。ここで、図５Ａ乃至図５Ｃにおいて、（１）乃至（２１）で示すプロセスと、以下に（１）乃至（２１）で示すプロセスとは対応関係にある。
【００５６】
（１）端末Ａにおける操作
上記ディスプレイ２８に“音楽配信”として表示された上記左下ピクト５６のガイド表示に基づき、ユーザーＡ側の携帯Ａの上記ソフトキー左６４の押圧操作が可能となる。そして、制御ユニット２３が上記押圧操作を検知すると（２）に示すプロセスに移行する。なお、（１）のプロセスにおいて上記スピーカ２０によって出力される音声は、端末Ｂマイクロホン音声である。
【００５７】
（２）端末Ａの状態
（２）のプロセスにおいて、制御ユニット２３はディスプレイ２８に対して、“しばらくお待ちください”という表示をするよう制御し、テレビ電話としての映像の送信及び音声の出力を停止させる。その後プロセス（３）へ移行する。
【００５８】
（３）メッセージ送信
（３）のプロセスにおいて、制御ユニット２３は、端末Ｂへメッセージ送信するための制御を行う。ここでのメッセージには“音楽配信を行う旨の通知”と、“音楽配信を開始する旨”とのメッセージ（制御信号）を含んでいる通知を行う。
【００５９】
（４）端末Ｂの状態
（４）のプロセスにおいて、端末Ｂ側の制御ユニット２３は、上記プロセス（３）において端末Ａによって送信されたメッセージを受信すると、上記ディスプレイ２８に対して、“相手側で再生される音楽を聴きますか？”という旨の表示を行うように制御し、テレビ電話における映像及び音声の出力を停止させる。
【００６０】
（５）端末Ｂにおける操作
（５）のプロセスにおいて、端末Ｂ側の制御ユニット２３は上記ディスプレイ２８に対して“ＹＥＳ”と表示させた左下ピクト５６のガイド表示に基づき、ユーザーＢの端末Ｂにおけるソフトキー左６４の押圧操作がなされたかを判断し、ソフトキー左６４の押圧操作がなされたと判断された場合に（６）のプロセスに移行する。
【００６１】
（６）端末Ｂの状態
（６）のプロセスにおいて、端末Ｂ側の制御ユニット２３は以後端末Ａから送信されてくる音楽を、端末Ｂにおいて録音（端末Ｂの有する記録ユニット２４等に記録）することができないように制御する。端末Ｂ側の制御ユニット２３がこの設定を行うと、例えばメニュー表示等における“録音する”という項目を入力デバイス２７によって選択することができなくなる。更に、上記ディスプレイ２８に対して“しばらくお待ちください”という表示をするように制御する。なお、この時制御ユニット２３は出力音声を出さないように制御してもよい。
【００６２】
（７）メッセージ送信
（７）のプロセスにおいて、端末Ｂ側の制御ユニット２３は、端末Ａへメッセージ送信するための制御を行う。ここでのメッセージは“音楽配信を許容する旨の応答”と、“配信開始ＯＫである旨”のメッセージ（制御信号）とが含まれる。
【００６３】
なお、（７）のプロセスにおいては、上記メッセージ送信に加えて、当該端末Ｂが本一実施形態に係る携帯電話機である旨を示す信号である対応端末信号（当該音楽送信機能を搭載した旨の信号）も、端末Ａに対して送信されるようにしても勿論良い。
【００６４】
（８）端末Ａの状態
（８）のプロセスでは、端末Ａが上記（７）のプロセスにおいて端末Ｂによって送信されたメッセージを受信すると、端末Ａの制御ユニット２３は、上記ディスプレイ２８に対して、“再生する音楽を選択してください”という表示を行うように制御する。なお、この（８）のプロセスにおいて、制御ユニット２３は、音声を出力しないように制御しても良い。
【００６５】
なお、制御ユニット２３は、上記（７）のプロセスにおいて端末Ｂから上記対応端末信号が送信されるようにした場合であって、この（８）において、もし上記対応端末信号（当該音楽送信機能を搭載した旨の信号）が受信されなかった場合には、上記ディスプレイ２８には音楽配信を中止する旨の表示が行われ、当該音楽配信のプロセスは終了する。
【００６６】
（９）端末Ａにおける操作
（９）のプロセスにおいて、制御ユニット２３は、上記ディスプレイ２８に“ＯＫ”として表示された上記左下ピクト５６に基づく操作として、ソフトキー左６４の押圧操作がなされたかを判断し、ソフトキー左６４の押圧操作がなされるとプロセス（１０）に移行する。
【００６７】
（１０）端末Ａにおける操作
（１０）のプロセスにおいて、制御ユニット２３は、上記十字キー６７の操作によって所望の音楽（ここでは例えば音楽Ａ）にカーソルが合わせられ、かつ上記ディスプレイ２８に“選択”として表示された上記左下ピクト５６のガイドに基づいて上記ソフトキー左６４の押圧操作がなされたか否かを判断する（所望の配信すべき音楽が選択されたか否かを判断する）。そして、制御ユニット２３は、該所望の配信すべき音楽が選択された判断した場合、（１１）のプロセスに移行する。なお、上記この（１０）のプロセスにおいて、制御ユニット２３は、音声を出力しないように制御しても良い。
【００６８】
（ｌｌ）メッセージ送信
（１１）のプロセスにおいて、端末Ａの制御ユニット２３は、端末Ｂへメッセージ送信するための制御を行う。ここでのメッセージには“音楽配信通知のための情報である旨”と、“音楽情報”が含まれている。なお、この“音楽情報”とは、上記プロセス（１０）において選択された音楽Ａに関する曲名、アーティスト名、アルバム名、ダウンロード可能なプロバイダのＵＲＬ、音楽ＩＤ等を含む情報である。
【００６９】
（１２）端末Ｂの状態
（１２）のプロセスにおいて、端末Ｂの制御ユニット２３は、上記プロセス（１１）において端末Ａから送信されたメッセージを受信すると、上記ディスプレイ２８に対して、当該メッセージに含まれる音楽情報と、テレビ電話として端末Ａカメラ映像とが表示される。なお、上記この（１２）のプロセスにおいて、制御ユニット２３は、音声を出力しないように制御しても良い。
【００７０】
（１３）端末Ａの状態
（１３）のプロセスにおいて、端末Ａの制御ユニット２３は、上記プロセス（１０）において選択された音楽Ａが再生するように制御し、上記端末Ａのスピーカ２０によって出力される。また、制御ユニット２３は、上記ディスプレイ２８に対して、音楽Ａの音楽情報と、テレビ電話として端末Ｂカメラ映像とを表示するように制御する。
【００７１】
（１４）メッセージ送信
（１４）のプロセスにおいて、端末Ａの制御ユニット２３は、端末Ｂに対して（１０）のプロセスで選択された配信する音楽のデータ送信を行うように制御する。なお、ここでの送信データは、端末Ａのカメラ３３によって撮影されたカメラ映像及び選択された再生中の音楽Ａのデータが含まれている。なお、制御ユニット２３は、このデータ送信の際、音楽Ａの音質を後述する方法によって本来の音質から劣化させるように制御してもよい。また、このデータ送信は、音楽Ａの再生が終了するか、または音楽Ａの再生を中止させる所定の操作がユーザーＡによって行われるまで繰り返されるように制御する。
【００７２】
以下、音楽の音質を劣化させる方法を説明する。
【００７３】
まず、第１の方法として、データの圧縮方法の変更を挙げることができる。具体的には、当該音楽の元の圧縮方法が例えばａａｃＰｌｕｓであった場合、ＡＡＣ、ＡＭＲ、またはＱＣＥＬＰ等の他の圧縮方法に変更することで、当該音楽の音質を劣化させることができる。
【００７４】
また、第２の方法として、当該音楽を、単純にディジタル→アナログ→ディジタルのようにＤＡ変換及びＡＤ変換を繰り返すことで、音質を劣化させる方法を挙げることができる。以下、図６を参照して具体的に説明する。ここで、図６は本一実施形態に係る携帯電話機の構成の一部を示すブロック図であり、図６に示すブロック図における構成部材と図１に示すブロック図における構成部材との対応関係は以下の通りである。
【００７５】
すなわち、図６に示すデコーダ１０１及びエンコーダ１０３は図１に示す圧縮伸長処理ユニット１７に対応し、図６に示すスイッチ１０５は図１に示すスイッチ３５に対応し、図６に示す制御部１０７は図１に示す制御ユニット２３に対応し、図６に示す送受信部１０９は図１に示すＤＵＰ１２，ＲＸ１３，ＳＹＮ１４，及びＴＸ１５に対応し、図６に示すアンテナ１１１は図１に示すアンテナ１１に対応し、図６に示すマイクロホン１１３は図１に示すマイクロホン２１に対応し、図６に示すスピーカ１１５は、図１に示すスピーカ２０に対応する。
【００７６】
そして、上述したように当該音楽にＤＡ変換及びＡＤ変換を施す為には、図６に示すように、上記デコーダ１０１によってディジタルデータをアナログデータに変換し、その後上記エンコーダ１０３によって、このアナログデータを再びディジタルデータに変換する。なお、このとき上記スイッチ１０５は、上記デコーダ１０１と上記エンコーダ１０３とを接続する側に切り替えられていることは勿論である。
【００７７】
（１５）端末Ｂの状態
（１５）のプロセスにおいて、端末Ｂ側の制御ユニット２３は、上記プロセス（１４）において端末Ａによって送信されたデータを受信すると、上記ディスプレイ２８に対して、当該メッセージに含まれる音楽情報と、（テレビ電話として）端末Ａのカメラ３３によって撮影されたカメラ映像とを表示するように制御する。なお、端末Ｂの制御ユニット２３はこの時音楽Ａが再生制御を行い、上記スピーカ２０によって出力させる。
【００７８】
（１６）端末Ｂにおける操作
（１６）のプロセスにおいて、端末Ｂ側の制御ユニット２３は、端末Ｂの上記十字キー６７の操作によって上記ディスプレイ２８に表示されている音楽情報のうち“プロバイダＵＲＬ”にカーソルが合わせられ、かつ上記ディスプレイ２８の左下ピクト５６に“選択”として表示されたガイドに基づいて、上記ソフトキー左６４の押圧操作がなされたか否かを判断する。そして、“プロバイダＵＲＬ”にカーソルが合わせられ、かつ上記ソフトキー左６４の押圧操作がなされたと制御ユニット２３が判断すると、“プロバイダＵＲＬ”で示されるプロバイダから音楽Ａがダウンロードするように制御する。
【００７９】
（１７）端末Ｂにおける操作
次に（１７）のプロセスにおいて、制御ユニット２３は、音楽Ａのダウンロードが完了したか否かを判断する。そして、音楽Ａのダウンロードが完了したと判断した場合に、ディスプレイ２８にダウンロードが完了した旨を表示させ、上記ディスプレイ２８の左下ピクト５６に“ＯＫ”として表示されたガイドに基づいて、上記ソフトキー左６４の押圧操作がなされたか否かを判断する。そして、ソフトキー左６４の押圧操作がなされたと判断すると、再度上記ディスプレイ２８に対して、当該メッセージに含まれる音楽情報と、（テレビ電話として）端末Ａのカメラ３３によって撮影されたカメラ映像とを表示するように制御する。
【００８０】
（１８）端末Ａの状態
次に、（１８）のプロセスにおいて、端末Ａの制御ユニット２３は、音楽Ａの再生が終了するか、または音楽Ａの再生を中止させる所定の操作がユーザーＡによって行われた場合、上記ディスプレイ２８に対して“しばらくお待ちください”という表示を行わせる。なお、テレビ電話としての端末Ｂカメラ映像の表示、及び音声出力を停止させてもよい。
【００８１】
（１９）メッセージ送信
次に、（１９）のプロセスにおいて、端末Ａの制御ユニット２３は、端末Ｂへメッセージ送信を行うように制御する。ここでのメッセージには“音楽配信に関連する通知である旨”と、“音楽配信を終了する旨”が含まれる。
【００８２】
（２０）端末Ｂの状態
次に、（２０）のプロセスにおいて、端末Ｂの制御ユニット２３は、上記（１９）において端末Ａによって送信されたメッセージを受信すると、音楽情報を上記記憶ユニット２４に記憶する。そして、音楽Ａの再生を停止するように制御する。
【００８３】
ここで、上記ディスプレイ２８には、テレビ電話として端末Ａのカメラ３３によって撮影されたカメラ映像、及び端末Ｂのカメラ３３によって撮影されたカメラ映像が表示される。また、端末Ａのカメラ３３によって撮影されたカメラ映像はメインの映像として、端末Ｂのカメラ３３によって撮影されたカメラ映像よりも大きく表示される。また、制御ユニット２３は、端末Ａから送信された音声が上記スピーカ２０によって出力するように制御される。すなわち、当該音楽配信に移行する前のテレビ電話の状態に戻る。
【００８４】
（２１）メッセージ送信
次に（２１）のプロセスにおいて、端末Ｂの制御ユニット２３は、端末Ａへメッセージ送信を行うように制御される。ここでのメッセージには“音楽配信に関連する応答である旨の信号”と、“終了することを了解する旨の信号”とが含まれる。
【００８５】
（２２）端末Ａの状態
次に、（２２）のプロセスにおいて、端末Ａの制御ユニット２３は、上記（２０）において端末Ｂによって送信されたメッセージを受信すると、ディスプレイ２８に対して、テレビ電話として端末Ｂのカメラ３３によって撮影されたカメラ映像、及び端末Ａのカメラ３３によって撮影されたカメラ映像が表示される。ここで、端末Ｂのカメラ３３によって撮影されたカメラ映像はメインの映像として、端末Ａのカメラ３３によって撮影されたカメラ映像よりも大きく表示される。また、制御ユニット２３は、端末Ｂから送信された音声が上記スピーカ２０によって出力するように制御される。すなわち、当該音楽配信に移行する前のテレビ電話の状態に戻る。
【００８６】
なお、（２）のプロセスから（１２）のプロセスにおいてテレビ電話の音声情報として、音声出力をしないようにしても良いし、音声出力を行っても良い。音声出力を行う場合は、音楽（上記実施例では音楽Ａ）と同時に出力されることになる。
【００８７】
以上説明したように、本一実施形態によれば、携帯電話機等の携帯端末装置に保存されている音楽等のコンテンツが実際にどのようなコンテンツであるかを、他の携帯端末装置のユーザーに伝達することができ、且つコンテンツの流通を促進させるようなサービスに対応する携帯端末装置を提供することができる。なお、上記コンテンツとしては、音楽の他に例えばムービーコンテンツ等が考えられる。
【００８８】
具体的には、本一実施形態に係る携帯電話機によれば、例えば当該携帯電話機に記録保存されている音楽に関する情報を他の携帯電話機のユーザーに伝える場合、図５Ａ乃至図５Ｃを参照して説明したように当該音楽の著作権に配慮した上で、当該音楽を実際に相手の携帯電話機にて再生して伝えることができる。したがって、本一実施形態に係る携帯電話機によれば、上記他の携帯電話機のユーザーは、音楽をダウンロードする前に当該音楽が実際にどのような音楽であるかを知ることができる。
【００８９】
つまり、本一実施形態によれば、音楽配信サービスの利便性を向上させる上に、各々の携帯電話機に保存されている音楽等のコンテンツに関する情報を、各々の携帯電話機同士で遣り取りすることができ、音楽等のコンテンツの流通を促進させるようなサービスに対応する携帯電話機を提供することができる。
【００９０】
なお、本一実施形態においては、上述したように音楽の受信側での録音禁止制御及び送信側での劣化処理によって、従来は著作権に対する配慮等により出来なかった携帯電話機間で音楽を直接授受すること、及び通話中に音楽を再生することを可能とした。
【００９１】
以上、一実施形態に基づいて本発明を説明したが、本発明は上述した実施形態に限定されるものではなく、本発明の要旨の範囲内で種々の変形及び応用が可能なことは勿論である。
【００９２】
例えば、上記（１３）における端末Ａの出力音声としては、再生中の音楽Ａと端末Ｂマイクロホン音声とをミキシングした音声を用いても勿論良い。このようにすることで、ユーザーＡは、テレビ電話中におけるユーザーＢからの、例えば当該再生中の音楽の早送り／巻戻しや、任意の位置からの再生等の要求に応じることが可能となる。
【００９３】
なお、上記一実施形態においては、説明の便宜上テレビ電話として１：１のテレビ電話を想定して説明したが、１：Ｎのテレビ電話に上記一実施形態を適用しても勿論良いことは言うまでも無い。
【００９４】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００９５】
以上に述べたように、例えば、携帯電話機のメモリに記録されている音楽を実際に再生し、この音楽を相手方の携帯電話機に伝達することができれば、リアルタイムでの音楽の共有が一時的に可能となり、伝達される側の携帯電話機のユーザーは、当該音楽のダウンロード前に、当該音楽がどのような音楽であるかを実際に知ることができる。
【図面の簡単な説明】
【００９６】
【図１】本発明の一実施形態に係る携帯電話機の構成を示すブロック図。
【図２】（Ａ）は、本発明の一実施形態に係る携帯電話機を約１８０度開いた時の外観図。（Ｂ）は、同側面図。
【図３】（Ａ）は、本発明の一実施形態に係る携帯電話機を閉じた時の正面図。（Ｂ）は、同側面図。
【図４】（Ａ）は、ディスプレイの表示例を示す図。（Ｂ）は、キーの配置の一例を示す図。
【図５Ａ】本発明の一実施形態に係る携帯電話機に保存されている音楽が実際にどのような音楽であるかを、他の携帯端末装置のユーザーに伝達する為のプロセスを示す図の第１の部分。
【図５Ｂ】本発明の一実施形態に係る携帯電話機に保存されている音楽が実際にどのような音楽であるかを、他の携帯端末装置のユーザーに伝達する為のプロセスを示す図の第２の部分。
【図５Ｃ】本発明の一実施形態に係る携帯電話機に保存されている音楽が実際にどのような音楽であるかを、他の携帯端末装置のユーザーに伝達する為のプロセスを示す図の第３の部分。
【図６】音楽の音質を劣化させる手段の一例を示す図。
【符号の説明】
【００９７】
１１…アンテナ、  １２…アンテナ共用器、  １３…受信回路、  １４…周波数シンセサイザ、  １５…送信回路、  １６…ＣＤＭＡ信号処理ユニット、  １７…圧縮伸長処理ユニット、  １８…ＰＣＭコーデック、  １９…受話増幅器、  ２０…スピーカ、  ２１…マイクロホン、  ２２…送話増幅器、  ２３…制御ユニット、  ２３ａ…低電圧検出機能、  ２３ｂ…モード設定制御機能、  ２３ｃ…テレビ起動制御機能、  ２４…記憶ユニット、  ２５…バッテリ、  ２６…電源回路、  ２７…入力デバイス、  ２８…ディスプレイ、  ２９…充電回路、  ３０…テレビ受信機、  ３１…アンテナ、  ３３…スイッチ、  ５１…デコーダ、  ５３…エンコーダ、  ５５…スイッチ、  ５７…制御部、  ５９…送受信部、  ６１…アンテナ、  ６３…マイクロホン、  ５６…左下ピクト、  ５７…中下ピクト、  ５８…右下ピクト、  ６４…ソフトキー左、  ６５…確定キー、  ６６…ソフトキー右、  ６７…十字キー、  ６９…ブラウザキー、  ７０…通話キー、  ７２…クリアキー、  １０１…デコーダ、  １０３…エンコーダ、  １０５…スイッチ、  １０７…制御部、  １０９…送受信部、  １１１…アンテナ、  １１３…マイクロホン、  １１５…スピーカ。
【図１】
2008048063.tif 000003
【図２】
2008048063.tif 000004
【図３】
2008048063.tif 000005
【図４】
2008048063.tif 000006
【図５Ａ】
2008048063.tif 000007
【図５Ｂ】
2008048063.tif 000008
【図５Ｃ】
2008048063.tif 000009
【図６】
2008048063.tif 000010